(57)【要約】【課題】  ボルト及びナットの二重保護キャップを提供すること。【解決手段】  ボルト・ナットに被せられて外部と隔離させる一側開放型ボルト・ナット保護キャップにおいて、外部キャップと内部キャップをそれぞれ合成樹脂で射出成形し、外部キャップの内部に長手方向に所定間隔を置いて形成した嵌込凹入片に内部キャップの外部周りに長手方向に所定間隔を置いて突出形成した突出片を嵌合し、前記内部キャップの内部底面部の円周面に放射状に突出形成した固定片のそれぞれの末端部に三角突片を形成して構成することを特徴とする。【選択図】図１
2014508262.tif 000002
【特許請求の範囲】
【請求項１】
ボルト（１０）及びナット（２０）に被せられて、外部と隔離させる一側開放型ボルト及びナット保護キャップ（１００）において、
外部キャップ（３０）と内部キャップ（４０）をそれぞれ合成樹脂で射出成形し、外部キャップ（３０）の内部に長手方向に所定間隔を置いて形成した嵌込凹入片（３０’）（３０’’）に内部キャップ（４０）の外周に長手方向に所定間隔を置いて突出形成した突出片（４０’）を嵌合し、前記内部キャップ（４０）の内部底面部の円周面に放射状に突出した固定片（４１）それぞれの末端部に三角突片（４２）を形成して構成することを特徴とするボルト及びナット二重保護用キャップ。
【請求項２】
前記外部キャップ（３０）の周辺の内側には係止リング（３０ａ）を形成し、内部キャップ（４０）が外部キャップ（３０）の内部に嵌合される時、内部キャップ（４０）の外周（４０ａ）がかかるように構成することを特徴とする請求項１に記載のボルト及びナット二重保護用キャップ。
【請求項３】
前記内部キャップ（４０）の内部に結合されるボルト（１０）に纎維パッキング（６０）を挟んでナット（２０）を圧迫装着させてなることを特徴とする請求項１に記載のボルト及びナット二重保護用キャップ。
【請求項４】
前記内部キャップ（４０）と外部キャップ（３０）の底面部とを面接触させた面接部（７０）を高周波溶着して結合させてなることを特徴とする請求項１に記載のボルト及びナット二重保護用キャップ。
【請求項５】
前記内部キャップ（４０）の上部内側に、内部に放射状に嵌込突片（４０−１）が形成された突出嵌合部（４０−２）を一体に設置して、ボルト（１０）を結合させて構成することを特徴とする請求項１に記載のボルト及びナット二重保護用キャップ。
【請求項６】
前記ナット（２０）の６角突起が嵌合されるように内部キャップ（４０）の内部に６角凹溝部（４０−３）を形成して構成することを特徴とする請求項１に記載のボルト及びナット二重保護用キャップ。
【請求項７】
前記内部キャップ（４０）の前後方中間部に孔（４０−４）を形成して構成することを特徴とする請求項１に記載のボルト及びナット二重保護用キャップ。
【発明の詳細な説明】
【技術分野】
【０００１】
本発明はボルト及びナットの二重保護キャップに関する。
【背景技術】
【０００２】
一般に、ボルト及びナットの保護用キャップは、ボルトとナット部分に嵌められてボルトとナットの酸化を防止し、ボルトとナットの硬い雰囲気を改善させるようにするボルト・ナットの遮断部材である。
【０００３】
このような従来のボルト・ナット保護用キャップは、例えば、街燈または防音壁などのような構造物を支持する基板を地面に締結固定するようになったボルトとナットの外部突出部分を被って保護する一側が開放されたキャップ状が一般的である。
【０００４】
より具体的に説明すれば、従来のボルト・ナット保護用キャップは、普通雨風などでボルトとナットが雨に濡れて錆びてしまうことを防止するために、プラスチック材やゴム材を利用してボルトとナット及びワッシャーを覆って保護する遮断部材で、キャップ本体の内周面に上記ボルトとねじ結合されるように螺糸山が形成されて、ボルトとねじ結合を通じて固定される。
【０００５】
しかし、一般的に、上記のような従来のボルト・ナット保護用キャップは、材質がプラスチック材やゴム材からなるため、プラスチックまたはゴム材の特性上、即ち有機性化学性物質が日光に露出されると、有機性化学成分が揮発されて硬化されながら変質されて、外圧によって破損されやすいという問題点がある。
【０００６】
特に、夏に気温が高くなって、金属性のボルトとナットが熱によって膨脹されると、膨脹係数の異なる保護キャップが変質して硬化された状態で、ボルトとナットの膨脹を耐えることができずに破損される問題点がある。
【０００７】
上記のように、ボルト・ナット保護用キャップが破損されると、外部との気密を保持する機能を喪失して、雨や湿気によってボルトとナットが酸化される問題点がある。
【発明の概要】
【発明が解決しようとする課題】
【０００８】
本出願人が上記問題を解消するために、韓国公開特許第１０−２００９−００４８８２２号「ボルト・ナット保護用キャップ」を出願した。これによれば、ボルト・ナットに被せられて外部と隔離させる一側開放型ボルト・ナット保護キャップにおいて、間隔を置いて内皮と外皮の二重でキャップ本体を形成し、内皮と外皮との間には外皮に対して内皮を支持する支持片を放射状に連結形成させ、内皮の内周面にはボルト・ナットに対して強制的に嵌められる時潰されながらボルト・ナットと結合させるように内側方向に放射状の固定片を形成させて、ボルト・ナットに対して保護用キャップが固定された状態で周辺の温度が上昇してボルト・ナットの嵩が膨脹されても、まず固定片が崩し潰され、固定片によって内皮が外側方向に若干押されても、支持片が内皮と外皮との間で曲がりながら緩衝作用して、外皮の変形及び破損を防止する。
【０００９】
また、ボルト・ナットの外形によって固定片が潰されながら反応するので、規格差が大きくない互いに相異する何れのボルト・ナットにも適用可能である。
【００１０】
しかし、この場合に、間隔を置いて内皮と外皮の二重でキャップ本体を形成するので、このキャップを射出成形する場合、金型で内皮と外皮及び固定片を一体に形成するために、金型が２回以上作動されてこそ製品が生産され、内皮と外皮との間の空間を分離して遮断するための金型構造は、冷却水が伝達されなくて、射出製造時間がたくさん所要され、製品生産性が大きく低下され、且つ製品製造コストが高くて、国際市場における競争力で劣ることができる生産性の低下問題、及びアジア圏ではボルトをｍｍ規格で使うが、アメリカなどではインチボルト規格で使うことから、様々な規格のボルトキャップの金型の製作費用が加重されてコストアップの要因になる問題点が指摘される。
【００１１】
また、内皮と外皮との間の上部（設置時には底面）面が構造物を支持する基板の面に当接する状態でボルトの錆防止のためにゴムパッキングをボルトに嵌めて設置することができるが、内皮及び外皮の上部面（設置時には底面）と基板との間に微細間隙が形成されるため、湿気がキャップの内部に染み込み、これによって、ゴムパッキングが腐食されてボルトキャップの設置状態を保持することができないという問題点が指摘される。
【課題を解決するための手段】
【００１２】
本発明はボルト・ナットに被せられて外部と隔離させる一側開放型ボルト・ナット保護キャップにおいて、外部キャップと内部キャップをそれぞれ合成樹脂で射出成形し、外部キャップの内部に長手方向に所定間隔を置いて形成された嵌込凹入片に内部キャップの外部周囲に長手方向に所定間隔を置いて突出形成した突出片を嵌合し、上記内部キャップの内部底面部の周辺に放射状に突出形成した固定片のそれぞれの末端部に三角突片を形成して構成することを特徴とする。 
【発明の効果】
【００１３】
本発明のボルト及びナットの二重保護キャップは、外部キャップと内部キャップを合成樹脂（ＰＰ、ＰＥ、ＰＶＣなど）でそれぞれ分離して射出成形するので、製品の生産性が増加し、製品の製造費用が節減される効果を奏し、外部キャップと内部キャップとを嵌込凹入片と突出片によって嵌合して堅固に結合し、特に、外皮キャップの上部周辺に形成した突出部によって内皮キャップの上部外周面の周辺が嵌められて、外部キャップと内部キャップがより堅固に結合される。
【００１４】
また、本発明は、合成樹脂からなる２つのキャップで構成されるので、２つのキャップの収縮硬化による自然破損が防止される。
【００１５】
また、内部キャップと外部キャップとが強制的に嵌合されて、内部キャップの内部底面部の周辺面に放射状に突出形成した固定片のそれぞれの末端部に形成した三角突片がボルトによって崩れやすく、ボルトが堅固に固定片に結合されると、ボルトのねじ山が固定片の端部に形成されるので、ボルトの破損やボルトを解体する場合、ボルトを螺糸式で回転させてボルトから簡単に離脱させ、今後、ボルトキャップを再使用する場合、固定片に螺糸山が形成されていて、内部キャップの締結時、螺糸式で回転させて、ボルトキャップとして再使用することができる経済的な利点がある。
【００１６】
また、本発明は、内部キャップの内部に結合されるボルトに纎維パッキングを嵌めて、ナットを圧迫して装着させて纎維パッキングによって、ナットが振動によって緩むことを防止し、また、纎維パッキングにグリース（ＧＲＥＡＳＥ）を収容する場合、グリースが流れないで長い間纎維パッキングの中に含有されるようになって、ボルト及びナットのさび防止效果が持続され、特に、天然羊毛からなる纎維パッキングを用いる場合には、湿気を調節する機能でグリースを纎維パッキングに収容しなくても湿気調節が可能で、ボルト及びナットのさびることを防止することができる。
【００１７】
また、本発明は、二重ボルトキャップは、装着後、長い時間が経つと、外皮キャップが太陽の光や温度差によって収縮硬化されるが、外皮キャップによって保護された内皮キャップは合成樹脂材料の油性成分が蒸発されなくて、ボルトが熱によって膨脹されても内皮キャップも膨脹される伸縮性を有するようになって、ボルトキャップの破損が防止される效果を奏する。橋梁や船舶鉄塔などでボルトキャップが破損される場合、ボルトキャップの取り替えなければならなく、高層作業専門家による人件費及びボルトキャップの取り替え補修費用がたくさん所要される。
【図面の簡単な説明】
【００１８】
【図１】本発明の一実施例による構成を示す分離斜視図（底面）である。
【図２】本発明の一実施例による構成を示す一部切開断面図である。
【図３】本発明の一実施例による構成を示す平面図である。
【図４】本発明の一実施例による構成を示す断面図である。
【図５】本発明の一実施例による構成及びボルト・ナットとの結合状態を示す正断面図である。
【図６】本発明の他の実施例を示す断面図である。
【図７】本発明のまた他の実施例を示す分離斜視図である。
【図８】図７の平面図である。
【図９】図７の断面図である。
【図１０】図９の平断面図である。
【図１１】図７の使用状態断面図である。
【発明を実施するための形態】
【００１９】
本発明を説明するに先立ち、技術を理解させるために、図１は本発明の一実施例による構成を示す分離斜視図（底面）で、図２は本発明の一実施例による構成を示す一部切開断面図で、図３は本発明の一実施例による構成を示す平面図で、図４は本発明の一実施例による構成を示す断面図で、図５は本発明の一実施例による構成及びボルト・ナットとの結合状態を示す正断面図で、図６は本発明の他の実施例を示す断面図で、図７は本発明のまた他の実施例を示す分離斜視図で、図８は図７の平面図で、図９は図７の断面図で、図１０は図９の平断面図で、図１１は図７の使用状態断面図である。
【００２０】
このように提示する添付図面を参照して本発明を説明すれば次の通りである。
【００２１】
まず、本発明は、図１〜図５に示すように、ボルト１０及びナット２０に被せられて外部と隔離させる一側開放型ボルト及びナット保護キャップ１００において、外部キャップ３０と内部キャップ４０をそれぞれ合成樹脂で射出成形し、外部キャップ３０の内部に長手方向に所定間隔を置いて形成した嵌込凹入片３０’３０’’に内部キャップ４０の外部周辺に長手方向に所定間隔を置いて突出形成した突出片４０’を嵌合し、上記内部キャップ４０の内部底面部の円周面に放射状に突出形成した固定片４１のそれぞれの末端部に三角突片４２を形成して構成し、内部キャップ４０の内部にボルト及びナット１０２０が強制的に嵌められ時、固定片４１の先端三角突片４２が潰されながら、ボルト１０が固定片４１の内側端に嵌合されるように構成する。上記三角突片４２は突片の末端部分が薄くて細く形成されて、ボルト１０が面接されて強制的に嵌め込まれる時、この三角突片４２が潰される。
【００２２】
上記で、外部キャップ３０の外周内側には係止リング３０ａを形成し、内部キャップ４０が外部キャップ３０の内部に嵌合される時、内部キャップ４０の外周４０ａがかかるようにする。
【００２３】
この場合に、内部キャップ４０の外周４０ａは強制的に外部キャップ３０の内部に嵌められる時、外部キャップ３０の係止リング３０ａに無理やりに嵌められる。普段はハンマーなどで内部キャップ４０を打って外部キャップ３０に嵌め込むか、反対に外部キャップ３０をハンマーなどで打って内部キャップ４０に嵌合されるようにする。
【００２４】
このような構成の一実施例による本発明は、内部キャップ４０と外部キャップ３０とを強制的に嵌合する。即ち、外部キャップ３０の内側嵌込凹入片３０’と３０’’との間に内部キャップ４０の突出片４０’を嵌合するが、強制的に嵌め込んで内部キャップ４０の外周４０ａが強制的に外部キャップ３０の内部に入って外部キャップ３０の係止リング３０ａにかかるようにする。これによって、内部キャップ４０と外部キャップ３０とが堅固に結合される。この時、外部キャップ３０の内側周辺と内側キャップ４０の外側周辺に空間部Ｓを形成して、本発明の装着後、長時間が経って外部キャップ３０が太陽の光や温度差で収縮硬化されても、外部キャップ３０によって保護された内部キャップ４０は合成樹脂材料の油性成分が蒸発されなくて、ボルト及びナットを通じて内部キャップと外部キャップの破損を防止するとともに、ボルト１０が熱で膨脹されても内部キャップ４０も膨脹される伸縮性を有するようになって、ボルトキャップの破損が防止される。
【００２５】
そして、図５に示すように、橋梁や船舶鉄塔、街燈または防音壁などのような構造物を支持する基板５０に締結固定するようになったナット２０及びボルト１０を上記内部キャップ４０の内部の固定片４１に強制的に嵌め込むと、固定片４１の先端に形成した三角突片４２がボルト１０によって潰されながら固定片４１の先端にねじ部が形成されながらボルト１０が嵌合される。
【００２６】
上記で、本発明のボルト及びナットの二重保護キャップを施設する場合、上記のように、内部キャップ４０及び外部キャップ３０を結合した後、ボルト１０に装着するか、まず内部キャップ４０をボルト１０に装着した後、外部キャップ３０を内部キャップ４０と結合して施設することができる。また、本発明は、内部キャップ４０の内部に結合されるボルト１０に纎維パッキング６０を嵌めてナット２０を圧迫装着させて、纎維パッキング６０によって、ナット２０が振動によって緩むことを防止し、また纎維パッキング６０にグリースを収容する場合、グリースが流れ落ちないで、長時間纎維パッキング６０の中に含有されて、ボルト１０及びナット２０のさび防止效果が持続され、特に、天然羊毛からなる纎維パッキング６０を用いる場合には、湿気を調節する機能により、グリースを纎維パッキング６０に収容しなくても湿気調節が可能で、ボルト１０及びナット２０のさびることを防止することができる。
【００２７】
このように、ボルト１０及びナット２０を内部キャップ４０及び外部キャップ３０によって二重に保護する。橋梁や街燈のような構造物の変更や取り替え時、内部キャップ４０及び外部キャップ３０をボルト１０から解体しなければならない場合には、上述したように、固定片４１の三角突片４２がボルト１０の挿入によって潰されたが、固定片４１の先端にねじ部が形成されているので、内部キャップ４０及び外部キャップ３０をボルト１０を中心にして回転させれば、内部キャップ４０及び外部キャップ３０がねじ方向に回転されながら解けて解体が可能になり、再使用する場合には、固定片４１の先端に螺糸山が形成されていて、強制的ではない方法で内部キャップ４０及び外部キャップ３０をボルト１０を中心に回転させて結合させれば良い。
【００２８】
一方、図６は本発明の他の実施例で、内部キャップ４０と外部キャップ３０の底面部を面接させた面接部７０を高周波溶着して結合させるか、面接部７０の内部面を接着剤で接着または熱処理して結合させることができる。この場合には、外部キャップ３０の嵌込凹入片３０’、３０’’や内部キャップ４０の突出片４０’なしに内部キャップ４０及び外部キャップ３０を結合させることができ、上記面接部７０の溶着方法によって外部キャップ３０を金属で成形して提供することができる。
【００２９】
図７〜図１１は本発明のまた他の実施例を示す図面で、基板５０に締結固定するようになったナット２０及びボルト１０において、ボルト１０の長さが短く、ナット２０が二重に締結される場合には、上記固定片４１に短いボルト１０が嵌め込まれることができなくて、内部キャップ４０の上部内側中央部に一体に内部に放射状に嵌込突片４０−１が形成された突出嵌合部４０−２を設置してボルト１０を結合するようにすることによって、内部キャップ４０がボルト１０及びナット２０を覆って保護し、二重ナット２０は主に６角形を成すので、ナット２０の６角突起が嵌合されるように内部キャップ４０の内部に６角凹溝部４０−３で形成する。内部キャップ４０の前、後方中間部に伸縮のための孔４０−４を形成して、ナット２０の６角突起が内部キャップ４０の内部６角凹溝部４０−３に嵌められる時、ナット２０の角と面が内部キャップ４０の内周面を外部側に押して緩衝作用によって内部キャップ４０と外部キャップ３０が相互堅固に密着されて結合する。
【００３０】
そして、外部キャップ３０の内側部の周辺に放射状に突出形成した６つの嵌込凹入片３０’、３０’’には内部キャップ３０の外側に形成した６つの突出部４０−５が嵌合される。
【００３１】
上記の孔４０−４は、内部キャップ４０の内部６角凹溝部４０−３が、ナット２０が内部キャップ４０に嵌められる時、内部キャップ４０の外周面が外部キャップ３０の内周面に密着されるように、内部キャップ４０の一部を広げて堅固に密着して結合されるようにするためのものである。
【００３２】
上記実施例で、第１実施例と同じく、内部キャップ４０の外周４０ａが強制的に外部キャップ３０の内部に入って外部キャップ３０の係止リング３０ａにかかるようになることは同じである。
【００３３】
上記で、突出嵌合部４０−２の内部に形成された嵌込突片４０−１の代りにねじ部を形成しても関係ない。
【００３４】
図面で、４０−５は補強突起である。
【００３５】
このようなまた他の実施例は、外部キャップ３０の嵌込凹入片３０’、３０’’や内部キャップ４０の突出片４０’なしで、内部キャップ４０と外部キャップ３０がナット２０の６角突起が内部キャップ４０の６角凹溝部４０−３に嵌合され、同時にナット２０が内部キャップ４０を外側に押して内部キャップ４０及び外部キャップ３０が相互密着されて結合され、内部キャップ４０の外周４０ａが強制的に外部キャップ３０の内部に入って外部キャップ３０の係止リング３０ａにかかるようにして、内部キャップ４０及び外部キャップ３０がボルト１０及びナット２０を囲んで二重に保護することができ、ナット２０が６角形ではない多角形や、二重のナット２０が相互ずれるように結合された場合には、これに対応するために、内部キャップ４０の内部形状を６角形ではない多角形または波形に形成しても関係ない。
【符号の説明】
【００３６】
１０：ボルト
２０：ナット
３０：外部キャップ  
３０’、３０’’：嵌込凹入片
３０ａ：係止リング  
４０：内部キャップ
４０’：突出片  
４０ａ：外周
４１：固定片  
４２：三角突片
４０−１：嵌込突片  
４０−２：突出嵌合部
４０−３：凹溝部  
４０−４：孔
４０−５：突出部  
Ｓ：空間部
５０：基板
６０：纎維パッキング
【図１】
2014508262.tif 000003
【図２】
2014508262.tif 000004
【図３】
2014508262.tif 000005
【図４】
2014508262.tif 000006
【図５】
2014508262.tif 000007
【図６】
2014508262.tif 000008
【図７】
2014508262.tif 000009
【図８】
2014508262.tif 000010
【図９】
2014508262.tif 000011
【図１０】
2014508262.tif 000012
【図１１】
2014508262.tif 000013
【国際調査報告】
2014508262.tif 000014
2014508262.tif 000015
2014508262.tif 000016
2014508262.tif 000017